(57)【要約】【課題】光ケーブル網における心線の維持管理を迅速かつ正確に行い、作業負担を軽減する。【解決手段】光ケーブル網の中継設備毎に、中継設備特定情報と心線特定情報と各心線に接続される相手方の心線特定情報と各心線の接続状況を示す情報とを対応付けたデータベースと、指定された中継設備における各心線を表す図形を表示する心線表示部と、互いに接続される心線の一方を指定する情報の入力を受ける第１心線入力部と、他方の心線を指定する情報の入力を受ける第２心線入力部と、一方及び他方の心線の接続状況を示す情報の入力を受ける接続状況入力部と、一方及び他方の心線を表す図形同士を接続する線図を接続状況に応じた方法で表示する接続表示部と、一方及び他方の心線特定情報と中継設備特定情報と接続状況を示す情報とを対応付けてデータベースに書き込む情報書き込み部とを備える情報処理装置に関する。【選択図】図１
2007164686.tif 000002
【特許請求の範囲】
【請求項１】
光ケーブル網を構成する光ケーブルが取り込まれる中継設備毎に、中継設備を特定する情報と、中継設備に取り込まれる光ケーブルの各心線を特定する情報と、前記各心線に接続される相手方の各心線を特定する情報と、互いに接続される各心線の接続状況を示す情報と、を対応付けて記憶する心線接続属性管理データベースと、
中継設備を指定する情報の入力を受ける中継設備指定入力部と、
前記指定された中継設備に取り込まれる各光ケーブルの各心線を表す図形を、光ケーブル毎に対向させて並べて表示する心線表示部と、
前記中継設備において互いに接続される心線のうちの一方の心線を指定する情報の入力を受ける第１の心線指定入力部と、
前記一方の心線と接続される他方の心線を指定する情報の入力を受ける第２の心線指定入力部と、
前記指定された一方及び他方の心線の接続状況を示す情報の入力を受ける接続状況入力部と、
前記指定された一方及び他方の心線を表す図形同士を接続する線画図形を、前記指定された接続状況に応じて定められた描画方法で表示する接続表示部と、
前記一方の心線を特定する情報と、前記他方の心線を特定する情報と、前記中継設備を特定する情報と、前記一方及び他方の心線の接続状況を示す情報と、を対応付けて、前記心線接続属性管理データベースに書き込む接続情報書き込み部と、
を備えることを特徴とする情報処理装置。
【請求項２】
前記心線接続属性管理データベースには、光ケーブル網を構成する光ケーブルが取り込まれる中継設備毎に、中継設備を特定する情報と、中継設備に取り込まれる光ケーブルの各心線を特定する情報と、前記各心線に接続される相手方の各心線を特定する情報と、互いに接続される各心線の接続状況を示す情報と、互いに接続される各心線の接続方法を示す情報と、が対応付けて記憶され、
前記指定された一方及び他方の心線の接続方法を示す情報の入力を受ける接続方法指定入力部と、を備え、
前記接続表示部は、前記一方及び他方の心線の接続方法に応じて定められた図形を、前記線画図形に重ねて表示し、
前記接続情報書き込み部は、前記一方の心線を特定する情報と、前記他方の心線を特定する情報と、前記中継設備を特定する情報と、前記一方及び他方の心線の接続状況を示す情報と、前記一方及び他方の心線の接続方法を示す情報と、を対応付けて前記心線接続属性管理データベースに書き込む、
ことを特徴とする請求項１に記載の情報処理装置。
【請求項３】
光ケーブル網を構成する光ケーブルが取り込まれる中継設備毎に、中継設備を特定する情報と、中継設備に取り込まれる光ケーブルの各心線を特定する情報と、前記各心線と接続される相手方の各心線を特定する情報と、前記接続される心線間に介在する心線分岐装置における複数の出力端子のうちの前記相手方の心線と接続される出力端子を特定する情報と、を対応付けて記憶する心線接続属性管理データベースと、
中継設備を指定する情報の入力を受ける中継設備指定入力部と、
前記指定された中継設備に取り込まれる各光ケーブルの各心線を表す図形を、光ケーブル毎に対向させて並べて表示する心線表示部と、
前記中継設備において心線分岐装置を介して互いに接続される心線のうちの一方の心線を指定する情報の入力を受ける第１の心線指定入力部と、
前記一方の心線と前記心線分岐装置を介して接続される他方の心線を指定する情報の入力を受ける第２の心線指定入力部と、
前記他方の心線と接続される前記心線分岐装置の出力端子を指定する情報の入力を受けるカプラ出力端子指定入力部と、
前記一方の心線を表す図形と前記心線分岐装置の入力端子を表す図形とを線画図形により接続して表示すると共に、前記心線分岐装置の出力端子を表す図形と前記他方の心線を表す図形とを線画図形により接続して表示する接続表示部と、
前記一方の心線を特定する情報と、前記他方の心線を特定する情報と、前記一方及び他方の心線間に介在する前記心線分岐装置の出力端子を特定する情報と、前記中継設備を特定する情報と、を対応付けて、前記心線接続属性管理データベースに書き込む接続情報書き込み部と、
を備えることを特徴とする情報処理装置。
【請求項４】
光ケーブル網を構成する各光ケーブルについて、光ケーブルを特定する情報と、光ケーブル内の各心線に回線が設定済みであるか否かを示す情報と、を記憶する心線割当管理データベースと、
光ケーブルを指定する情報と、前記指定された光ケーブルに確保する心線の数と、の入力を受ける設定予約入力部と、
前記入力された確保する心線の数が、前記指定された光ケーブルにおいて回線が設定済みでない心線の数を超えない場合には、前記心線割当管理データベースにおいて、回線が設定済みでないことを示す情報が記憶されている前記指定された光ケーブルの各心線に対して、前記入力された確保する心線の数だけ、心線が確保済みであることを示す情報に書き換える確保済み心線数更新部と、
を備えることを特徴とする情報処理装置。
【請求項５】
前記心線割当管理データベースには、光ケーブル内の各心線に設定された回線が運用中であるか否かを示す情報と、が記憶され、
光ケーブルを指定する情報と、前記指定された光ケーブルに臨時に確保する心線の数と、の入力を受ける臨時設定入力部と、
前記臨時に確保する心線の数が、前記指定された光ケーブルにおいて回線が設定済みでない心線の数を超えている場合であっても、前記臨時に確保する心線の数が、前記指定された光ケーブル内において回線が運用中でない心線の数を超えない場合には、前記指定された光ケーブル内の前記運用中でない各心線に対して、前記臨時に確保する数の分だけ、心線の確保を行う臨時回線設定部と、
を備えることを特徴とする請求項４に記載の情報処理装置。
【請求項６】
光ケーブルの各心線を表す線画図形により、光ケーブル網における各心線の接続関係を示す画像を表示する際に、臨時に回線の設定が行われた心線については、他の心線を表す線画図形とは異なる描画方法により表示する接続表示部と、
を備えることを特徴とする請求項５に記載の情報処理装置。
【請求項７】
光ケーブル網を構成する光ケーブルが取り込まれる中継設備毎に、中継設備を特定する情報と、中継設備に取り込まれる光ケーブルの各心線を特定する情報と、前記各心線に接続される相手方の各心線を特定する情報と、互いに接続される各心線の接続状況を示す情報と、を対応付けて記憶する心線接続属性管理データベース、を備える情報処理装置の制御方法であって、
前記情報処理装置が、中継設備を指定する情報の入力を受け、
前記情報処理装置が、前記指定された中継設備に取り込まれる各光ケーブルの各心線を表す図形を、光ケーブル毎に対向させて並べて表示し、
前記情報処理装置が、前記中継設備において互いに接続される心線のうちの一方の心線を指定する情報の入力を受け、
前記情報処理装置が、前記一方の心線と接続される他方の心線を指定する情報の入力を受け、
前記情報処理装置が、前記指定された一方及び他方の心線の接続状況を示す情報の入力を受け、
前記情報処理装置が、前記指定された一方及び他方の心線を表す図形同士を接続する線画図形を、前記指定された接続状況に応じて定められた描画方法で表示し、
前記情報処理装置が、前記一方の心線を特定する情報と、前記他方の心線を特定する情報と、前記中継設備を特定する情報と、前記一方及び他方の心線の接続状況を示す情報と、を対応付けて、前記心線接続属性管理データベースに書き込む、
ことを特徴とする情報処理装置の制御方法。
【請求項８】
光ケーブル網を構成する光ケーブルが取り込まれる中継設備毎に、中継設備を特定する情報と、中継設備に取り込まれる光ケーブルの各心線を特定する情報と、前記各心線と接続される相手方の各心線を特定する情報と、前記接続される心線間に介在する心線分岐装置における複数の出力端子のうちの前記相手方の心線と接続される出力端子を特定する情報と、を対応付けて記憶する心線接続属性管理データベース、を備える情報処理装置の制御方法であって、
前記情報処理装置が、中継設備を指定する情報の入力を受け、
前記情報処理装置が、前記指定された中継設備に取り込まれる各光ケーブルの各心線を表す図形を、光ケーブル毎に対向させて並べて表示し、
前記情報処理装置が、前記中継設備において心線分岐装置を介して互いに接続される心線のうちの一方の心線を指定する情報の入力を受け、
前記情報処理装置が、前記一方の心線と前記心線分岐装置を介して接続される他方の心線を指定する情報の入力を受け、
前記情報処理装置が、前記他方の心線と接続される前記心線分岐装置の出力端子を指定する情報の入力を受け、
前記情報処理装置が、前記一方の心線を表す図形と前記心線分岐装置の入力端子を表す図形とを線画図形により接続して表示すると共に、前記心線分岐装置の出力端子を表す図形と前記他方の心線を表す図形とを線画図形により接続して表示し、
前記情報処理装置が、前記一方の心線を特定する情報と、前記他方の心線を特定する情報と、前記一方及び他方の心線間に介在する前記心線分岐装置の出力端子を特定する情報と、前記中継設備を特定する情報と、を対応付けて、前記心線接続属性管理データベースに書き込む、
ことを特徴とする情報処理装置の制御方法。
【請求項９】
光ケーブル網を構成する各光ケーブルについて、光ケーブルを特定する情報と、光ケーブル内の各心線に回線が設定済みであるか否かを示す情報と、を記憶する心線割当管理データベースと、を備える情報処理装置の制御方法であって、
前記情報処理装置が、光ケーブルを指定する情報と、前記指定された光ケーブルに確保する心線の数と、の入力を受け、
前記情報処理装置が、前記入力された確保する心線の数が、前記指定された光ケーブルにおいて回線が設定済みでない心線の数を超えない場合には、前記心線割当管理データベースにおいて、回線が設定済みでないことを示す情報が記憶されている前記指定された光ケーブルの各心線に対して、前記入力された確保する心線の数だけ、心線が確保済みであることを示す情報に書き換える
ことを特徴とする情報処理装置の制御方法。
【請求項１０】
光ケーブル網を構成する光ケーブルが取り込まれる中継設備毎に、中継設備を特定する情報と、中継設備に取り込まれる光ケーブルの各心線を特定する情報と、前記各心線に接続される相手方の各心線を特定する情報と、互いに接続される各心線の接続状況を示す情報と、を対応付けて記憶する心線接続属性管理データベース、を備える情報処理装置に、
中継設備を指定する情報の入力を受ける手順と、
前記指定された中継設備に取り込まれる各光ケーブルの各心線を表す図形を、光ケーブル毎に対向させて並べて表示する手順と、
前記中継設備において互いに接続される心線のうちの一方の心線を指定する情報の入力を受ける手順と、
前記一方の心線と接続される他方の心線を指定する情報の入力を受ける手順と、
前記指定された一方及び他方の心線の接続状況を示す情報の入力を受ける手順と、
前記指定された一方及び他方の心線を表す図形同士を接続する線画図形を、前記指定された接続状況に応じて定められた描画方法で表示する手順と、
前記一方の心線を特定する情報と、前記他方の心線を特定する情報と、前記中継設備を特定する情報と、前記一方及び他方の心線の接続状況を示す情報と、を対応付けて、前記心線接続属性管理データベースに書き込む手順と、
を実行させるためのプログラム。
【請求項１１】
光ケーブル網を構成する光ケーブルが取り込まれる中継設備毎に、中継設備を特定する情報と、中継設備に取り込まれる光ケーブルの各心線を特定する情報と、前記各心線と接続される相手方の各心線を特定する情報と、前記接続される心線間に介在する心線分岐装置における複数の出力端子のうちの前記相手方の心線と接続される出力端子を特定する情報と、を対応付けて記憶する心線接続属性管理データベース、を備える情報処理装置に、
中継設備を指定する情報の入力を受ける手順と、
前記指定された中継設備に取り込まれる各光ケーブルの各心線を表す図形を、光ケーブル毎に対向させて並べて表示する手順と、
前記中継設備において心線分岐装置を介して互いに接続される心線のうちの一方の心線を指定する情報の入力を受ける手順と、
前記一方の心線と前記心線分岐装置を介して接続される他方の心線を指定する情報の入力を受ける手順と、
前記他方の心線と接続される前記心線分岐装置の出力端子を指定する情報の入力を受ける手順と、
前記一方の心線を表す図形と前記心線分岐装置の入力端子を表す図形とを線画図形により接続して表示すると共に、前記心線分岐装置の出力端子を表す図形と前記他方の心線を表す図形とを線画図形により接続して表示する手順と、
前記一方の心線を特定する情報と、前記他方の心線を特定する情報と、前記一方及び他方の心線間に介在する前記心線分岐装置の出力端子を特定する情報と、前記中継設備を特定する情報と、を対応付けて、前記心線接続属性管理データベースに書き込む手順と、
を実行させるためのプログラム。
【請求項１２】
光ケーブル網を構成する各光ケーブルについて、光ケーブルを特定する情報と、光ケーブル内の各心線に回線が設定済みであるか否かを示す情報と、を記憶する心線割当管理データベースを備える情報処理装置に、
光ケーブルを指定する情報と、前記指定された光ケーブルに確保する心線の数と、の入力を受ける手順と、
前記入力された確保する心線の数が、前記指定された光ケーブルにおいて回線が設定済みでない心線の数を超えない場合には、前記心線割当管理データベースにおいて、回線が設定済みでないことを示す情報が記憶されている前記指定された光ケーブルの各心線に対して、前記入力された確保する心線の数だけ、心線が確保済みであることを示す情報に書き換える手順と、
を実行させるためのプログラム。
【発明の詳細な説明】
【技術分野】
【０００１】
本発明は、光ケーブル網における心線の管理を支援する情報処理装置、情報処理装置の制御方法およびプログラムに関する。
【背景技術】
【０００２】
近年、情報技術の進歩と共にコンピュータ間で授受されるデータ量が増加し、より高速な通信回線を求める需要者が増加している。それに伴い、光ケーブル網の構築が急速に進められている。  
またこのような光ケーブル網を管理するための様々な技術も開発されている（例えば特許文献１参照）。
【特許文献１】特開２００３−２３３６２９号公報
【発明の開示】
【発明が解決しようとする課題】
【０００３】
光ケーブル網は、多数の光ケーブルが広範囲な地域にわたって複雑に接続されて構成される。また各光ケーブルには数多くの心線が含まれている。  
このような光ケーブル網の心線の管理は、正確かつ確実に行われなければならないが、近年光ケーブル網の利用者が急増し、また光ケーブルの敷設も急速に進められている。
【０００４】
このため、光ケーブル網の心線の維持管理を迅速かつ正確に行い、作業負担を軽減する技術が求められている。
【０００５】
本発明は、上記課題を鑑みてなされたものであり、光ケーブル網における心線の維持管理を迅速かつ正確に行い、作業負担を軽減する情報処理装置、情報処理装置の制御方法およびプログラムを提供することを主たる目的とする。
【課題を解決するための手段】
【０００６】
上記課題を解決するために、本発明は、光ケーブル網を構成する光ケーブルが取り込まれる中継設備毎に、中継設備を特定する情報と、中継設備に取り込まれる光ケーブルの各心線を特定する情報と、前記各心線に接続される相手方の各心線を特定する情報と、互いに接続される各心線の接続状況を示す情報と、を対応付けて記憶する心線接続属性管理データベースと、中継設備を指定する情報の入力を受ける中継設備指定入力部と、前記指定された中継設備に取り込まれる各光ケーブルの各心線を表す図形を、光ケーブル毎に対向させて並べて表示する心線表示部と、前記中継設備において互いに接続される心線のうちの一方の心線を指定する情報の入力を受ける第１の心線指定入力部と、前記一方の心線と接続される他方の心線を指定する情報の入力を受ける第２の心線指定入力部と、前記指定された一方及び他方の心線の接続状況を示す情報の入力を受ける接続状況入力部と、前記指定された一方及び他方の心線を表す図形同士を接続する線画図形を、前記指定された接続状況に応じて定められた描画方法で表示する接続表示部と、前記一方の心線を特定する情報と、前記他方の心線を特定する情報と、前記中継設備を特定する情報と、前記一方及び他方の心線の接続状況を示す情報と、を対応付けて、前記心線接続属性管理データベースに書き込む接続情報書き込み部と、を備えることを特徴とする情報処理装置に関する。
【０００７】
このような態様により、光ケーブルが取り込まれる中継設備における心線の接続の設定作業を、視覚的に把握しながら行うことが可能となる。そしてこれにより心線の設定作業を効率化し、心線の設定作業負担を軽減することが可能となる。また各中継設備において、心線の運用状況は計画段階のものや運用中のもの、廃止予定のものなど、様々なものが混在しているが、本態様によれば、心線の運用状況を設定する際に、心線の接続状況に応じた描画方法で心線同士が接続される様子が表示されるため、運用状況を視覚的に把握することができ、作業負担を軽減することができる。
【０００８】
また前記心線接続属性管理データベースには、光ケーブル網を構成する光ケーブルが取り込まれる中継設備毎に、中継設備を特定する情報と、中継設備に取り込まれる光ケーブルの各心線を特定する情報と、前記各心線に接続される相手方の各心線を特定する情報と、互いに接続される各心線の接続状況を示す情報と、互いに接続される各心線の接続方法を示す情報と、が対応付けて記憶され、前記指定された一方及び他方の心線の接続方法を示す情報の入力を受ける接続方法指定入力部と、を備え、前記接続表示部は、前記一方及び他方の心線の接続方法に応じて定められた図形を、前記線画図形に重ねて表示し、前記接続情報書き込み部は、前記一方の心線を特定する情報と、前記他方の心線を特定する情報と、前記中継設備を特定する情報と、前記一方及び他方の心線の接続状況を示す情報と、前記一方及び他方の心線の接続方法を示す情報と、を対応付けて前記心線接続属性管理データベースに書き込むようにすることもできる。  
このような態様により、互いに接続される各心線の接続方法も視覚的に把握することができるので、より作業負担を軽減することが可能となる。接続方法としては、通過、融着接続、コネクタ接続、カプラ接続などがある。
【０００９】
また、光ケーブル網を構成する光ケーブルが取り込まれる中継設備毎に、中継設備を特定する情報と、中継設備に取り込まれる光ケーブルの各心線を特定する情報と、前記各心線と接続される相手方の各心線を特定する情報と、前記接続される心線間に介在する心線分岐装置における複数の出力端子のうちの前記相手方の心線と接続される出力端子を特定する情報と、を対応付けて記憶する心線接続属性管理データベースと、中継設備を指定する情報の入力を受ける中継設備指定入力部と、前記指定された中継設備に取り込まれる各光ケーブルの各心線を表す図形を、光ケーブル毎に対向させて並べて表示する心線表示部と、前記中継設備においてカプラ（心線分岐装置）を介して互いに接続される心線のうちの一方の心線を指定する情報の入力を受ける第１の心線指定入力部と、前記一方の心線と前記カプラ（心線分岐装置）を介して接続される他方の心線を指定する情報の入力を受ける第２の心線指定入力部と、前記他方の心線と接続される前記カプラ（心線分岐装置）の出力端子を指定する情報の入力を受けるカプラ出力端子指定入力部と、前記一方の心線を表す図形と前記カプラ（心線分岐装置）の入力端子を表す図形とを線画図形により接続して表示すると共に、前記カプラ（心線分岐装置）の出力端子を表す図形と前記他方の心線を表す図形とを線画図形により接続して表示する接続表示部と、前記一方の心線を特定する情報と、前記他方の心線を特定する情報と、前記一方及び他方の心線間に介在する前記カプラ（心線分岐装置）の出力端子を特定する情報と、前記中継設備を特定する情報と、を対応付けて、前記心線接続属性管理データベースに書き込む接続情報書き込み部と、を備えることを特徴とする情報処理装置とすることもできる。  
このような態様により、中継設備においてカプラ（心線分岐装置）を介して心線同士が接続される場合であっても、心線の接続設定作業を視覚的に確認しながら行うことが可能となる。これにより心線の設定作業負担を軽減することが可能となる。
【００１０】
また、光ケーブル網を構成する各光ケーブルについて、光ケーブルを特定する情報と、光ケーブル内の各心線に回線が設定済みであるか否かを示す情報と、を記憶する心線割当管理データベースと、光ケーブルを指定する情報と、前記指定された光ケーブルに確保する心線の数と、の入力を受ける設定予約入力部と、前記入力された確保する心線の数が、前記指定された光ケーブルにおいて回線が設定済みでない心線の数を超えない場合には、前記心線割当管理データベースにおいて、回線が設定済みでないことを示す情報が記憶されている前記指定された光ケーブルの各心線に対して、前記入力された確保する心線の数だけ、心線が確保済みであることを示す情報に書き換える確保済み心線数更新部と、を備えることを特徴とする情報処理装置とすることもできる。  
このような態様により、回線が未設定の心線に対して、心線を確保（回線の設定を予約）しておくことが可能となる。今日光通信は急速に普及しており、新たな回線が次々と設定されているが、例えば、建設中のマンションがある場合に、そのマンション付近の心線を事前に予約しておけば、マンション建設後に直ちに、予約しておいた心線を用いてそのマンションの住人に対して光回線の提供を行うことが可能となる。ここで本態様においては、心線の数を指定した予約をするため、あらかじめ心線を指定した予約をする場合と比べて自由度があり、設計に支障が出ないようにすることが可能となる。
【００１１】
また、上記情報処理装置は、前記心線割当管理データベースには、光ケーブル内の各心線に設定された回線が運用中であるか否かを示す情報と、が記憶され、光ケーブルを指定する情報と、前記指定された光ケーブルに臨時に確保する心線の数と、の入力を受ける臨時設定入力部と、前記臨時に確保する心線の数が、前記指定された光ケーブルにおいて回線が設定済みでない心線の数を超えている場合であっても、前記臨時に確保する心線の数が、前記指定された光ケーブル内において回線が運用中でない心線の数を超えない場合には、前記指定された光ケーブル内の前記運用中でない各心線に対して、前記臨時に確保する数の分だけ、心線の確保を行う臨時回線設定部と、を備えるようにすることもできる。  
このような態様により、臨時の場合には、予約済みの心線も含め、運用されていない心線に対して、心線を確保することが可能となる。これにより、緊急時の心線確保を行うことが可能となる。
【００１２】
また前記情報処理装置は、光ケーブルの各心線を表す線画図形により、光ケーブル網における各心線の接続関係を示す画像を表示する際に、臨時に回線の設定が行われた心線については、他の心線を表す線画図形とは異なる描画方法により表示する接続表示部と、を備えるようにすることもできる。  
このような態様により、臨時に回線が設定されている心線については、他の心線と視覚的に識別することができるようになる。これにより、臨時の状態を解除し、回線の設定を元に戻す際に、臨時に回線が設定されていた心線と通常通りに回線が設定されていた心線とを区別することができるため、元に戻す作業を容易化することが可能となる。
【００１３】
その他、本願が開示する課題、及びその解決方法は、発明を実施するための最良の形態の欄、及び図面により明らかにされる。
【発明の効果】
【００１４】
光ケーブル網における心線の維持管理を迅速かつ正確に行い、作業負担を軽減することができる。
【発明を実施するための最良の形態】
【００１５】
＝＝＝全体構成例＝＝＝
本実施の形態にかかる光ケーブル心線管理サーバ２００を含む光ケーブル心線管理システム９００の全体構成を図１に示す。なお光ケーブル心線管理サーバ２００は、特許請求の範囲に記載の情報処理装置に相当する。
【００１６】
＜光ケーブル心線管理システム＞
光ケーブル心線管理システム９００は、光ケーブル心線管理サーバ２００に、利用者端末１００がネットワーク５００を介して通信可能に接続されてなる。
【００１７】
光ケーブル心線管理システム９００は、光ケーブル網における各光ケーブルが、局やクロージャ等の中継設備で接続されている様子を示す系統図をベースにした心線設計・管理用のシステムである。光ケーブル心線管理システム９００においては、局、クロージャ、ドロップクロージャ、建物、ＣＴＦ／ＩＤＦ（Cable Terminating Frame／Intermediate Distribution Frame）、お客様の各情報と、これらを結ぶ光ケーブルの設備状況と運用状況、クロージャ、ＣＴＦ／ＩＤＦ内の心線接続状況及びその運用状況、心線に重畳する回線及びその運用状況を管理することができる。
【００１８】
また光ケーブル心線管理システム９００は、次のような特徴がある。まず系統図全体のつながりを把握しながら複数ルートの検索結果から最適ルートを選択できる。また設備や心線接続の計画管理機能、及び心線に重畳する回線の予約管理機能を有する。さらにＦＴＴＨ（Fiber To The Home）の迅速な設計をおこなうため、通信速度などにおけるレスポンス低下の影響を受けないように配慮されている。またマルチウインドウ環境により、画面上に複数の系統図や各種帳票を開きながら心線や回線の属性編集ができる。またダウンロード機能により、系統図や単線結線図などの図面やデータベース一覧をダウンロードでき、工事仕様書への添付資料などとして利用できる。またアップロード機能により、ケーブル区間毎の所有心線数の更新管理を効率的に行える。
【００１９】
＜光ケーブル心線管理サーバ＞
光ケーブル心線管理サーバ２００は、光ケーブル網の管理を支援するためのコンピュータである。
【００２０】
光ケーブル網は、複数の光ケーブル内の心線同士を相互に接続して構成される。各光ケーブルには、通常、数十本から数千本もの心線が含まれる。光ケーブルの中には、各心線を所定数ごとにテープ等で束ねて心線束を構成するようにしたものもある。
【００２１】
また各光ケーブルは、通常数百メートルから数千メートルの長さを有する。そしてクロージャや局等の各中継設備に取り込まれる。中継設備に取り込まれた光ケーブルは、他の光ケーブルと接続される場合もあるし、その中継設備を通過する場合もある。ここで、他の光ケーブルとの接続は、心線同士を融着させることにより行われる場合や、心線同士をコネクタで接続する場合や、心線同士をカプラ（心線分岐装置）で接続する場合がある。
【００２２】
顧客から光通信回線の利用申込があると、光ケーブル網の心線に、顧客用の回線を設定する。これにより、顧客はその心線を用いて光通信を行うことができるようになる。回線を設定可能な心線がない場合には、光ケーブルを新たに敷設することが必要になる。設定可能な心線がない場合とは、例えば全ての心線がすでに他の顧客用の回線に設定済みであり、空き心線がない場合や、そもそも光ケーブルの敷設がなされていない場合などである。
【００２３】
通常、回線の設定は、複数の光ケーブルを跨って行われる。そのため、各中継設備においては、どの心線とどの心線とが接続されているのかを心線一本一本について正確に管理しておく必要がある。
【００２４】
本実施の形態に係る光ケーブル心線管理サーバ２００は、後述する仕組みにより、各中継設備における心線同士の接続関係を視覚的に表示させ、また設定することが可能である。さらに、各光ケーブル内の心線に対して回線を設定するための予約をしておくことができる。これにより、心線への回線設定作業を効率化する。
【００２５】
＜利用者端末＞
利用者端末１００は、光ケーブル心線管理サーバ２００と通信可能に接続され、上記回線設定作業等の光ケーブル網の管理を行う際に用いられるコンピュータである。なお、光ケーブル網の管理は、利用者端末１００を用いずに行うことも可能である。この場合は、利用者端末１００は無くてもよい。
【００２６】
＝＝＝光ケーブル心線管理サーバ、利用者端末の構成＝＝＝
次に、光ケーブル心線管理サーバ２００、利用者端末１００の構成について説明する。光ケーブル心線管理サーバ２００、利用者端末１００はいずれもコンピュータであり、ハードウェア構成は基本的に同様である。そのため、これらのハードウェア構成をひとつのブロック図にまとめて図２に示す。
【００２７】
＜光ケーブル心線管理サーバ＞
光ケーブル心線管理サーバ２００は、ＣＰＵ（Central Processing Unit）２１０、メモリ２２０、ポート２３０、記録媒体読取装置２４０、入力装置２５０、出力装置２６０、記憶装置２８０を備えたコンピュータである。
【００２８】
ＣＰＵ２１０は光ケーブル心線管理サーバ２００の全体の制御を司るもので、記憶装置２８０に記憶される本実施の形態に係る各種の動作を行うためのコードから構成される光ケーブル心線管理サーバ制御プログラム（特許請求の範囲に記載のプログラムに相当する）７１０をメモリ２２０に読み出して実行することにより、光ケーブル心線管理サーバ２００としての各種機能を実現する。
【００２９】
例えばＣＰＵ２１０により光ケーブル心線管理サーバ制御プログラム７１０が実行され、メモリ２２０やポート２３０、入力装置２５０、出力装置２６０、記憶装置２８０等のハードウェア機器と協働することにより、特許請求の範囲に記載の心線接続属性管理データベース、中継設備指定入力部、心線表示部、第１の心線指定入力部、第２の心線指定入力部、接続状況入力部、接続表示部、接続情報書き込み部、接続方法指定入力部、カプラ入力端子指定入力部、カプラ出力端子指定入力部、心線割当管理データベース、設定予約入力部、確保済み心線数更新部、臨時設定入力部、臨時回線設定部が実現される。メモリ２２０は例えば半導体記憶装置により構成することができる。
【００３０】
記録媒体読取装置２４０は、フレキシブルディスクや磁気テープ、コンパクトディスク等の記録媒体４００に記録されているプログラムやデータを読み取るための装置である。読み取られたプログラムやデータはメモリ２２０や記憶装置２８０に格納される。従って、例えば記録媒体４００に記録された光ケーブル心線管理サーバ制御プログラム７１０を、記録媒体読取装置２４０を用いて上記記録媒体４００から読み取って、メモリ２２０や記憶装置２８０に記憶するようにすることができる。記録媒体読取装置２４０は光ケーブル心線管理サーバ２００に内蔵されている形態とすることもできるし、外付されている形態とすることもできる。
【００３１】
記憶装置２８０は、例えばハードディスク装置や半導体記憶装置等とすることができる。記憶装置２８０には、図３に示すように、光ケーブル心線管理サーバ制御プログラム７１０やクロージャ管理データベース６００、局管理データベース６１０、お客様管理データベース６２０、建物管理データベース６３０、ＣＴＦ／ＩＤＦ管理データベース６４０、ケーブル管理データベース６５０、心線管理データベース６６０、心線接続属性管理データベース６７０が記憶される。このうち、心線管理データベース６６０は、特許請求の範囲に記載の心線割当管理データベースに相当する。また心線接続属性管理データベース６７０は、特許請求の範囲に記載の心線接続属性管理データベースに相当する。
【００３２】
クロージャ管理データベース６００はクロージャを管理するためのデータベースである。クロージャは、光ケーブル網において各光ケーブルを取り込む中継設備の一つである。クロージャ管理データベース６００を図５に示す。クロージャ管理データベース６００の”クロージャ名称”欄には、クロージャを特定する情報が記載される。”接続情報（ケーブル名称）”欄には、各クロージャに取り込まれる光ケーブルを特定する情報として光ケーブルの名称が記載される。また”接続情報（区間名称）”欄には、当該光ケーブルが取り込まれる中継設備を特定する情報が記載される。”運用状況”欄には、当該クロージャの運用状況が記載される。
【００３３】
局管理データベース６１０は、局を管理するためのデータベースである。局も、光ケーブル網において各光ケーブルを取り込む中継設備の一つである。局管理データベース６１０を図６に示す。局管理データベース６１０の”局名称”欄には、局を特定する情報として局の名称が記載される。”建物名称”欄には、局の所在地を示す建物の名称が記載される。
【００３４】
お客様管理データベース６２０は、光ケーブル網を利用する顧客であるお客様を管理するためのデータベースである。お客様も、光ケーブル網において各光ケーブルを取り込む中継設備の一つである。お客様管理データベース６２０を図７に示す。”お客様名称”欄にはお客様を特定する情報としてお客様の名称が記載される。”建物名称”欄には、お客様の所在地を示す建物の名称が記載される。
【００３５】
建物管理データベース６３０は、局やお客様の所在地を示す建物の情報を管理するためのデータベースである。建物管理データベース６３０を図８に示す。”ラベル”欄には、建物を特定する情報として建物の名称が記載される。”遷移先系統図”欄には、その建物に敷設されている光ケーブルに関する情報が記載された系統図の識別情報が記載される。
【００３６】
ＣＴＦ／ＩＤＦ管理データベース６４０は、局やお客様の建物内に設置されるＣＴＦ／ＩＤＦを管理するためのデータベースである。ＣＴＦ／ＩＤＦ管理データベース６４０を図９に示す。”ＣＴＦ／ＩＤＦ名称”欄には、ＣＴＦ／ＩＤＦを特定する情報が記載される。”接続情報（ケーブル名称）”欄には、各ＣＴＦ／ＩＤＦに取り込まれる光ケーブルを特定する情報が記載される。また”接続情報（区間名称）”欄には、当該光ケーブルが取り込まれる中継設備を特定する情報が記載される。
【００３７】
ケーブル管理データベース６５０は、光ケーブル網を構成する各光ケーブルを管理するためのデータベースである。ケーブル管理データベース６５０を図１０に示す。”ケーブル名称”欄には、各光ケーブルを特定する情報が記載される。また”ケーブル区間名称”欄には、当該光ケーブルが取り込まれる中継設備を特定する情報が記載される。”テープ種別”欄には、光ケーブル内の各心線束内の心線数が記載される。テープ種別欄に「２」と記載されている場合には、各心線束には２本の心線が含まれることを示す。”ケーブル総心線数”欄には、光ケーブル内の心線の数が記載される。”ケーブル実長”欄には、光ケーブルの長さを示す情報が記載される。
【００３８】
心線管理データベース６６０は、各光ケーブル内の各心線を管理するためのデータベースである。心線管理データベース６６０を図１１に示す。”ケーブル名称”欄には、各心線を含む光ケーブルを特定する情報が記載される。”ケーブル区間名称”欄には、各光ケーブルが取り込まれる中継設備を特定する情報が記載される。”心線番号”欄には、各心線を特定する情報が記載される。”テープ番号”欄には、各心線束を特定する情報が記載される。”空き状態”欄には、各心線に回線が設定済みであるか否かを示す情報が記載される。「使用中」と記載されている場合には、当該心線には回線が設定済みであることを示す。「空き」と記載されている場合には、当該心線には回線が設定済みでないことを示す。”心線状態”欄には、各心線の異常有無が記載される。「不良」と記載されている場合には、その心線は光通信を行うことができない状況であることを示す。”心線所有者”欄には、各心線の所有者を特定する情報が記載される。”運用状況”欄には、”空き状態”欄が「使用中」の各心線の運用状況が記載される。運用状況には「運用」と「確保」と「予約」とがある。「運用」と記載されている場合は、当該心線は運用中であることを示す。「確保」と記載されている場合には、当該心線は確保済みであることを示す。「予約」と記載されている場合は、当該心線は設定予約済みであることを示す。
【００３９】
心線接続属性管理データベース６７０は、光ケーブル網を構成する光ケーブルが取り込まれる中継設備毎に、中継設備を特定する情報と、中継設備に取り込まれる光ケーブルの各心線を特定する情報と、上記各心線に接続される相手方の各心線を特定する情報と、接続される心線間に介在するカプラ（心線分岐装置）における複数の出力端子のうちの上記相手方の心線と接続される出力端子を特定する情報と、互いに接続される各心線の接続状況を示す情報と、互いに接続される各心線の接続方法を示す情報と、対応付けて記憶するデータベースである。心線接続属性管理データベース６７０を図１２に示す。
【００４０】
”設備名称”欄には、局やクロージャの名称等の中継設備を特定する情報が記載される。”左側ケーブル区間名称”欄には、中継設備に取り込まれる光ケーブルを特定する情報が記載される。”左側心線番号”欄には、上記光ケーブルの各心線を特定する情報が記載される。また”右側ケーブル区間名称”欄には、”左側ケーブル区間名称”欄に記載された光ケーブルと心線同士が接続される相手方の光ケーブルを特定する情報が記載される。そして”右側心線番号”欄には、”右側ケーブル区間名称”欄に記載された光ケーブルの各心線を特定する情報が記載される。なお、左側光ケーブルの各心線と右側光ケーブルの各心線が、カプラを介して接続されている場合には、”左側心線番号”欄には、左側ケーブルの心線を特定する情報と共に、右側光ケーブルの心線と接続されるカプラの出力端子を特定する情報が記載される。図１２の例では、”左側心線番号欄に”「１−１」、「１−２」、「１−３」、「１−４」と記載されているのは、左側光ケーブルの心線番号「１」で特定される心線がカプラを介して分岐され、カプラの４つの出力端子から出力されることを表す。
【００４１】
”接続・終端”欄には、各心線が他の心線と接続されるか否かを示す情報が記載される。他の心線と接続される場合には「接続」と記載され、他の心線と接続されない場合には「終端」と記載される。”方式”欄には、心線同士を接続する際の接続方法が記載される。接続方法としては、「融着」、「コネクタ接続」、「通過」、「カプラ接続」等がある。「カプラ接続」の場合には、”カプラ種類”欄にカプラの種類が記載される。カプラの種類としては、ＦＴＴＨ用カプラ、ＣＳ用カプラがある。また”カプラ分岐”欄に、カプラによる分岐数が記載される。”運用状況”欄には、互いに接続される各心線の接続状況を示す情報が記載される。運用状況としては、「運用」、「予約」、「確保」、「廃止予定」がある。「運用」は、運用中であることを示す。「予約」は、供給先が決まり、設計完了段階であることを示す。「確保」は、供給先の計画段階等であることを示す。「廃止予定」は廃止予定の段階であることを示す。
【００４２】
”ロス値”欄には、光の減衰量を示す情報が記載される。光の減衰量（ｄＢ換算）は、心線同士の接続方法に応じて定まる。図１２に示す例では、「融着」の場合は０．４（ｄＢ）、「通過」の場合は０（ｄＢ）、「カプラ３２分岐」の場合は１８（ｄＢ）である。
【００４３】
入力装置２５０は光ケーブル心線管理サーバ２００へのデータ入力等のために用いられる装置でありユーザインタフェースとして機能する。入力装置２５０としては例えばキーボードやマウス等を用いることができる。  
出力装置２６０は情報を外部に出力するための装置でありユーザインタフェースとして機能する。出力装置２６０としては例えばディスプレイやプリンタ等を用いることができる。
【００４４】
ポート２３０は通信を行うための装置である。例えばネットワーク５００を介して行われる、利用者端末１００等の他のコンピュータとの通信は、ポート２３０を介して行われるようにすることができる。また例えば、光ケーブル心線管理サーバ制御プログラム７１０をポート２３０を通じて他のコンピュータからネットワーク５００を介して受信して、メモリ２２０や記憶装置２８０に記憶するようにすることもできる。
【００４５】
＜利用者端末＞
利用者端末１００は、ＣＰＵ１１０、メモリ１２０、ポート１３０、記録媒体読取装置１４０、入力装置１５０、出力装置１６０、記憶装置１８０を備える。  
これらの各装置の機能は、上述した光ケーブル心線管理サーバ２００が備える各装置と同様である。  
また、利用者端末１００の記憶装置１８０には、図４に示すように、利用者端末制御プログラム７００が記憶され、ＣＰＵ１１０によって実行されることにより、利用者端末１００としての各種機能が実現される。例えば利用者端末制御プログラム７００は、光ケーブル心線管理サーバ２００との通信を制御し、ブラウザ機能を実現する。
【００４６】
＝＝＝心線の接続設定処理＝＝＝
次に、本実施の形態に係る光ケーブル心線管理サーバ２００により行われる、心線の接続の設定処理について、図１３乃至図２５を参照しながら説明する。図１３乃至図２０は、心線同士が直接接続される場合の設定処理を示す図であり、図２１乃至図２４は、心線同士がカプラを介して接続される場合の設定処理を示す図である。また図２５は、心線の接続の設定処理の流れを示すフローチャートである。
【００４７】
光ケーブル網における各光ケーブルが、局やクロージャ等の中継設備で接続されている様子を示す系統図を図１３に示す。ここで図１３に示す系統図は、利用者端末１００の出力装置１６０であるディスプレイに表示されているものとするが、もちろん光ケーブル心線管理サーバ２００の出力装置２６０であるディスプレイに表示されている場合であっても良い。
【００４８】
まず図１３に示す系統図の画面において、マウスのカーソルを中継設備を示すアイコンに重ねてクリックすると、その中継設備を指定する情報が光ケーブル心線管理サーバ２００に入力される。そして図１３に示される「心線接続属性」欄にマウスのカーソルを重ねてクリックすると、図１４に示す画面が表示される。
【００４９】
図１４に示す画面は、上記指定された中継設備に取り込まれる各光ケーブルの各心線を表す図形（心線ボックス）を、光ケーブル毎に対向させて並べて表示したものである。なお図１４においては、各心線ボックスには心線番号が併記されている。
【００５０】
図１４において、左右に一つずつ表示されている「ケーブル選択」欄に、それぞれ光ケーブルの名称を入力すると、光ケーブル心線管理サーバ２００は、その中継設備に取り込まれている光ケーブルの中から上記入力された名称により特定される光ケーブルの各心線について、心線ボックスを表示する（S1000）。
【００５１】
次に、図１４のように並べて表示されている各心線ボックスの中から選んだ心線ボックスをクリックすると、その中継設備において互いに接続される心線のうちの一方の心線を指定する情報が光ケーブル心線管理サーバ２００に入力される（S1010）。図１４の例では、心線番号「１」が光ケーブル心線管理サーバ２００に入力される。
【００５２】
そして図１５に示す「接続属性」欄に各情報を入力することにより、光ケーブル心線管理サーバ２００に接続属性が入力される（S1020）。接続属性としては、例えば、互いに接続される心線の接続状況を示す情報（図１５において「運用状況」欄に表示される情報）や、接続方法を示す情報（図１５において「方式」欄、「コネクタ（その他）欄」、「カプラ種類」欄、「カプラ分岐」欄に表示される情報）などを入力することができる。また上記選択した心線ボックスが終端なのか接続なのかの入力も行うことができる（図１５において「接続・終端」欄に表示される情報）。
【００５３】
「接続属性」欄において「接続」が入力されている場合には（S1030）、図１６に示すように、上記選んだ心線ボックスと接続される相手側の心線ボックスを選択する。これにより、上記指定された一方の心線と接続される他方の心線を指定する情報が光ケーブル心線管理サーバ２００に入力される（S1040）。そして光ケーブル心線管理サーバ２００は、上記指定された一方及び他方の心線を表す図形同士を接続する線画図形を、上記指定された接続状況に応じて定められた描画方法で表示すると共に、上記一方及び他方の心線の接続方法に応じて定められた図形を、上記線画図形に重ねて表示する。
【００５４】
図１６に示す例では、運用状況欄において「運用」が入力されているため、光ケーブル心線管理サーバ２００は、上記心線同士を接続する線画図形を実線で表示する。運用状況に応じた描画方法は、図１８の「重畳回線の運用状態」欄に示すように定められている。つまり、「確保中」の場合は破線で表示され、「予約中」の場合は点線で表示され、「運用中」の場合は実線で表示され、「廃止予定」の場合は一点鎖線で表示される。
【００５５】
また図１６に示す例では、方式欄において「融着」が入力されているため、光ケーブル心線管理サーバ２００は、上記心線同士を接続する線画図形に重畳して黒丸を表示する。心線の接続方法に応じた図形は、図１９に示すように定められている。
【００５６】
そして図１６に示す画面において、「登録」欄（図示省略）をクリックすると、上記入力された接続属性や、互いに接続される心線を特定する情報が心線接続属性管理データベース６７０に書き込まれる（S1050）。つまり、上記一方の心線を特定する情報と、他方の心線を特定する情報と、中継設備を特定する情報と、一方及び他方の心線の接続状況を示す情報と、一方及び他方の心線の接続方法を示す情報と、が対応付けられて、心線接続属性管理データベース６７０に書き込まれる。
【００５７】
一方、図１５において、「接続属性」欄に「終端」が入力されている場合には（S1030）、図１７に示すように、マウス操作によって、「終端方式」、「運用状況」、「終端方式種類」を選択して入力することにより、これら入力された情報に応じた図形が表示される。図２０に接続方式に応じて定められた図形の一覧を示す。
【００５８】
そして図１７に示す画面において、「登録」欄（図示省略）をクリックすると、入力された接続属性心線を特定する情報が心線接続属性管理データベース６７０に書き込まれる（S1050）。
【００５９】
次に、カプラを介して接続されている心線同士の接続を設定する場合の処理について説明する。  
まず図１３に示す系統図の画面において、マウスのカーソルを、中継設備を示すアイコンに重ねてクリックすると、その中継設備を指定する情報が光ケーブル心線管理サーバ２００に入力される。そして図１３に示される「心線接続属性」欄にマウスのカーソルを重ねてクリックすると、光ケーブル心線管理サーバ２００は、図２１に示す画面を表示する。
【００６０】
図２１に示す画面は、上記指定された中継設備に取り込まれる各光ケーブルの各心線を表す図形（心線ボックス）を、光ケーブル毎に対向させて並べて表示したものである。
【００６１】
図２１において、左右に一つずつ表示されている「ケーブル選択」欄に、それぞれ光ケーブルの名称を入力すると、その中継設備に取り込まれている光ケーブルの中から、上記入力された名称によって特定される光ケーブルの各心線について、心線ボックスを表示させることができる（S1000）。
【００６２】
次に、図２２のように、並べて表示されている各心線ボックスの中から選んだ心線ボックスをクリックすると、その中継設備においてカプラを介して互いに接続される心線のうちの一方の心線を指定する情報が光ケーブル心線管理サーバ２００に入力される（S1010）。図２２の例では、心線番号「１」が光ケーブル心線管理サーバ２００に入力される。
【００６３】
そしてマウス操作によって、「接続方式」、「運用状況」、「カプラ種類」、「カプラ分岐数」を選択して入力することにより、図２３に示すように、光ケーブル心線管理サーバ２００は、これら入力された情報に応じたカプラを表す図形を表示する。この際、光ケーブル心線管理サーバ２００は、上記一方の心線を表す図形とカプラの入力端子を表す図形とを線画図形により接続して表示する。
【００６４】
そして図２３に示す「接続属性」欄に各情報を入力することにより、光ケーブル心線管理サーバ２００に接続属性が入力される（S1020）。接続属性としては、例えば、互いに接続される心線の接続状況を示す情報や、接続方法を示す情報などを入力することができる。また上記選択した心線ボックスが終端なのか接続なのかの入力も行うことができる。
【００６５】
「接続属性」欄において「接続」が入力されている場合には（S1030）、図２４に示すように、上記選んだ心線ボックスとカプラを介して接続される相手側の心線ボックスを選択する。これにより、上記指定された一方の心線とカプラを介して接続される他方の心線を指定する情報が光ケーブル心線管理サーバ２００に入力される（S1040）。図２４に示す例では、心線番号２で特定される心線が指定されている。そして上記他方の心線と接続されるカプラの出力端子を選択する。そうすると光ケーブル心線管理サーバ２００は、カプラの出力端子を表す図形と上記他方の心線を表す図形とを線画図形により接続して表示する。
【００６６】
そして図２４において「登録」欄をクリックすると、上記入力された接続属性や、互いに接続される心線を特定する情報が心線接続属性管理データベース６７０に書き込まれる（S1050）。つまり、上記一方の心線を特定する情報と、上記他方の心線を特定する情報と、一方及び他方の心線間に介在するカプラの出力端子を特定する情報と、中継設備を特定する情報と、が対応付けられて、心線接続属性管理データベース６７０に書き込まれる（S1050）。
【００６７】
以上のようにして、各中継設備における心線の接続の設定処理が行われる。これにより、光ケーブルが取り込まれる中継設備における心線の接続の設定作業を、視覚的に把握しながら行うことが可能となる。そしてこれにより心線の設定作業を効率化し、心線の作業負担を軽減することが可能となる。また各中継設備において、心線の接続状況は計画段階のものや運用中のもの、廃止予定のものなど、様々なものが混在しているが、本態様によれば、心線の接続状況を設定する際に、心線の接続状況に応じた描画方法で心線同士が接続される様子が表示されるため、接続状況を視覚的に把握することができ、作業負担を軽減することができる。
【００６８】
＝＝＝心線確保処理＝＝＝
次に、本実施の形態に係る光ケーブル心線管理サーバ２００を用いて、光ケーブル網を構成する光ケーブル内の心線を確保する場合の処理について、図２６乃至図３１を参照しながら説明する。図３１は、回線の心線確保処理の流れを示すフローチャートである。
【００６９】
まず図２６に示す画面において、「新規回線」をマウスで選択してクリックすると、光ケーブル心線管理サーバ２００は、図２７に示す画面を表示する。そして図２７に示す画面において「運用状況」欄を「確保」にして「心線追加」をマウスでクリックすると、光ケーブル心線管理サーバ２００は、図２８に示す画面を表示する。
【００７０】
次に、図２８に示す画面において、「検索条件」欄に適宜情報を入力して「検索開始」欄をマウスでクリックすると、ケーブル管理データベース６５０や、心線管理データベース６６０等に記憶されている情報に基づいて、「検索条件」欄に入力した情報に一致する光ケーブルが検索され、一覧表示される。
【００７１】
そして、一覧表示されている光ケーブルの中から、心線を確保しようとする光ケーブルを選択して「選択」欄をマウスでクリックする。そうすると、光ケーブルを指定する情報が光ケーブル心線管理サーバ２００に入力される（S2000）。そして光ケーブル心線管理サーバ２００は、図２９に示す画面を表示する。
【００７２】
光ケーブル心線管理サーバ２００は、図２９に示すように、心線管理データベース６６０に基づいて、「回線構成」欄に、上記指定された光ケーブルについて、「ケーブル区間」と「空き心線数」とを表示する。空き心線数は、心線管理データベース６６０の空き状態欄に記載の情報に基づいて算出される。
【００７３】
ここで、「回線構成」欄の「確保数」欄には、確保する心線の数を入力することができる（S2010）。図２９の例では、１が入力されているので、確保する心線の数は１本であることが示される。
【００７４】
光ケーブル心線管理サーバ２００は、確保する心線の数の入力を受けると、上記入力された確保する心線の数が、上記指定された光ケーブル内において回線が設定済みでない心線の数を超えないか否かを判定する。そして光ケーブル心線管理サーバ２００は、心線管理データベース６６０において、回線が設定済みでないことを示す情報が記憶されている上記指定された光ケーブルの各心線に対して、入力された確保する心線の数だけ、回線が確保済みであることを示す情報に書き換える。つまり、「空き状態」欄に「空き」と記載されている心線の中から、入力された確保する心線の数だけ、「空き状態」欄を「使用中」に更新する。そして「運用状況」欄を「確保」に更新する。なお、心線管理データベース６６０の更新は、以下に述べる「登録」がクリックされた後におこなわれる（S2030）。
【００７５】
図２９において、「心線追加」欄をクリックすると、他の光ケーブルについて、心線の確保を行うことができる。この場合、光ケーブル心線管理サーバ２００は、再び図２８に示す画面を表示する。そして上記手順と同様にして検索した光ケーブルの中から指定した光ケーブルについて、心線の確保処理を行う（S2020）。
【００７６】
心線確保処理を終える場合には、図３０の画面において、「登録」をクリックする。これにより、上記指定した各光ケーブルに関して、それぞれ、心線管理データベース６６０の更新が行われる。
【００７７】
なお、図２７に示す画面において、「運用状況」欄を「臨時」とすると、臨時に心線を確保することができる。臨時の場合は、心線の空き状態が「使用中」であっても、運用状況が「運用」でない限り、心線を確保することができる。この場合は、図２８に示す画面において、「検索条件」欄に適宜情報を入力して「検索開始」欄をマウスでクリックすると、ケーブル管理データベース６５０や、心線管理データベース６６０等に記憶されている情報に基づいて、「検索条件」欄に入力した情報に一致する光ケーブルが検索され、一覧表示される。
【００７８】
そして、一覧表示されている光ケーブルの中から、臨時に心線を確保しようとする光ケーブルを選択して「選択」欄をマウスでクリックする。  
そして、選択した光ケーブルに対して臨時に確保する心線の数を入力すると、光ケーブル心線管理サーバ２００は、心線管理データベース６６０に基づいて、臨時に確保しようとする心線の数が、上記指定された光ケーブル内における心線の数を超えないか否かを判定する。そして光ケーブル心線管理サーバ２００は、臨時に確保しようとする心線の数が、上記指定された光ケーブルにおいて回線が設定済みでない心線の数（空き状態が「空き」である心線の数）を超えている場合であっても、臨時に確保しようとする心線の数が、上記指定された光ケーブル内において回線が運用中でない心線の数（空き状態が「空き」又は運用状況が「確保」あるいは「予約」である心線の数）を超えない場合には、指定された光ケーブル内の前記運用中でない各心線に対して、臨時に心線を確保する数の分だけ、回線の設定を行う。
【００７９】
なお、このようにして臨時に心線が確保された場合には、光ケーブル心線管理サーバ２００は、例えば図１６のように、光ケーブルの各心線を表す線画図形により、光ケーブル網における各心線の接続関係を示す画像を表示する際に、臨時に確保された心線については、他の心線を表す線画図形とは異なる描画方法により表示する。例えば、臨時に確保された心線の線画図形については、色や太さ、線種等を他の心線とは異なるように表示したり、点滅して表示したりする。
【００８０】
以上のようにして、光ケーブル内の心線の確保を行うことができる。これにより、回線が未設定の心線に対して、心線を確保しておくことが可能となる。また臨時の場合には、運用中でない心線に対して、心線を確保することができる。これにより、緊急時の心線の確保を行うことが可能となる。さらに、臨時に確保されている心線については、他の心線と視覚的に識別して表示することができる。これにより、臨時の状態を解除し、心線の確保を元に戻す際に、臨時に確保されていた心線と通常通りに確保されていた心線とを区別することができるため、元に戻す作業を容易化することが可能となる。
【００８１】
以上、本発明を実施するための最良の形態について説明したが、上記実施の形態は本発明の理解を容易にするためのものであり、本発明を限定して解釈するためのものではない。本発明はその趣旨を逸脱することなく変更、改良され得ると共に、本発明にはその等価物も含まれる。
【図面の簡単な説明】
【００８２】
【図１】本実施の形態に係る光ケーブル心線管理システムの全体構成を示す図である。
【図２】本実施の形態に係る光ケーブル心線管理サーバ、利用者端末の構成を示す図である。
【図３】本実施の形態に係る光ケーブル心線管理サーバの記憶装置の構成を示す図である。
【図４】本実施の形態に係る利用者端末の記憶装置の構成を示す図である。
【図５】本実施の形態に係るクロージャ管理データベースを示す図である。
【図６】本実施の形態に係る局管理データベースを示す図である。
【図７】本実施の形態に係るお客様管理データベースを示す図である。
【図８】本実施の形態に係る建物管理データベースを示す図である。
【図９】本実施の形態に係るＣＴＦ／ＩＤＦ管理データベースを示す図である。
【図１０】本実施の形態に係るケーブル管理データベースを示す図である。
【図１１】本実施の形態に係る心線管理データベースを示す図である。
【図１２】本実施の形態に係る心線接続属性管理データベースを示す図である。
【図１３】本実施の形態に係る心線接続設定における中継設備選択処理を示す図である。
【図１４】本実施の形態に係る心線接続設定における心線接続処理を示す図である。
【図１５】本実施の形態に係る心線接続設定における接続属性設定処理を示す図である。
【図１６】本実施の形態に係る心線接続設定における心線選択処理を示す図である。
【図１７】本実施の形態に係る心線接続設定における心線終端処理を示す図である。
【図１８】本実施の形態に係る心線接続状況に応じて定められた心線シンボルを示す図である。
【図１９】本実施の形態に係る心線接続方法に応じて定められた接続シンボルを示す図である。
【図２０】本実施の形態に係る心線接続方法に応じて定められた終端シンボルを示す図である。
【図２１】本実施の形態に係るカプラを介した心線接続設定におけるケーブル選択処理を示す図である。
【図２２】本実施の形態に係るカプラを介した心線接続設定におけるカプラ設定処理を示す図である。
【図２３】本実施の形態に係るカプラを介した心線接続設定における接続属性設定処理を示す図である。
【図２４】本実施の形態に係るカプラを介した心線接続設定における接続先設定処理を示す図である。
【図２５】本実施の形態に係る心線接続設定処理の流れを示すフローチャートである。
【図２６】本実施の形態に係る心線確保処理における心線設定処理を示す図である。
【図２７】本実施の形態に係る心線確保処理における心線属性設定処理を示す図である。
【図２８】本実施の形態に係る心線確保処理における心線検索処理を示す図である。
【図２９】本実施の形態に係る心線確保処理における心線確保数入力処理を示す図である。
【図３０】本実施の形態に係る心線確保処理における登録処理を示す図である。
【図３１】本実施の形態に係る心線確保処理の流れを示すフローチャートである。
【符号の説明】
【００８３】
１００  利用者端末
２００  光ケーブル心線管理サーバ
４００  記録媒体
５００  ネットワーク
６００  クロージャ管理データベース
６１０  局管理データベース
６２０  お客様管理データベース
６３０  建物管理データベース
６４０  ＣＴＦ／ＩＤＦ管理データベース
６５０  ケーブル管理データベース
６６０  心線管理データベース
６７０  心線接続属性管理データベース
７００  利用者端末制御プログラム
７１０  光ケーブル心線管理サーバ制御プログラム
９００  光ケーブル心線管理システム
【図１】
2007164686.tif 000003
【図２】
2007164686.tif 000004
【図３】
2007164686.tif 000005
【図４】
2007164686.tif 000006
【図５】
2007164686.tif 000007
【図６】
2007164686.tif 000008
【図７】
2007164686.tif 000009
【図８】
2007164686.tif 000010
【図９】
2007164686.tif 000011
【図１０】
2007164686.tif 000012
【図１１】
2007164686.tif 000013
【図１２】
2007164686.tif 000014
【図１８】
2007164686.tif 000015
【図１９】
2007164686.tif 000016
【図２０】
2007164686.tif 000017
【図２５】
2007164686.tif 000018
【図３１】
2007164686.tif 000019
【図１３】
2007164686.tif 000020
【図１４】
2007164686.tif 000021
【図１５】
2007164686.tif 000022
【図１６】
2007164686.tif 000023
【図１７】
2007164686.tif 000024
【図２１】
2007164686.tif 000025
【図２２】
2007164686.tif 000026
【図２３】
2007164686.tif 000027
【図２４】
2007164686.tif 000028
【図２６】
2007164686.tif 000029
【図２７】
2007164686.tif 000030
【図２８】
2007164686.tif 000031
【図２９】
2007164686.tif 000032
【図３０】
2007164686.tif 000033